(57)【要約】複数のディスプレイ画面を有する表示部（２０００）と、ディスプレイ画面のそれぞれに対する接触を感知するタッチパネル式の入力部（３０００）と、ディスプレイ画面に対するタッチ操作に基づいて、２つのディスプレイ画面に跨がる所定部分の表示を２つのディスプレイ画面のいずれか一方に表示させる制御部（１０００）とを有する。
2011052299.tif 000002
【特許請求の範囲】
【請求項１】
複数のディスプレイ画面を有する表示部と、
前記ディスプレイ画面のそれぞれに対する接触を感知するタッチパネル式の入力部と、
ディスプレイ画面に対するタッチ操作に基づいて、前記複数のディスプレイ画面のうち２つのディスプレイ画面に跨がる所定部分の表示を該２つのディスプレイ画面のいずれか一方に表示させる制御部と、
を有する携帯情報端末。
【請求項２】
前記タッチ操作は、隣り合った２つのディスプレイ画面に対するタッチ操作である、
請求項１に記載の携帯情報端末。
【請求項３】
前記所定部分は、矩形領域であり、
前記所定部分の前記ディスプレイ画面の境界に対する垂直方向の幅は、前記タッチ操作がされた２点により定まる、
請求項２に記載の携帯情報端末。
【請求項４】
前記所定部分の前記ディスプレイ画面の境界に対する垂直方向の幅は、前記タッチ操作がされた各点の前記ディスプレイ画面の境界に対する垂直成分により定まる、
請求項３に記載の携帯情報端末。
【請求項５】
前記所定部分の前記ディスプレイ画面の境界と同じ方向の幅は、予め定められた長さである、
請求項３または４に記載の携帯情報端末。
【請求項６】
前記所定部分は、ディスプレイ画面の境界に沿ったディスプレイ画面幅にわたり、前記タッチ操作がされた２点で挟まれた帯状領域である、
請求項５に記載の携帯情報端末。
【請求項７】
前記所定部分は、予め定められた領域である、
請求項１または２に記載の携帯情報端末。
【請求項８】
前記所定部分は、前記タッチ操作がされた２点で特定される領域である、
請求項２に記載の携帯情報端末。
【請求項９】
前記２点で特定される領域は、前記タッチ操作がされた２点を対角の頂点とする矩形領域である、
請求項８に記載の携帯情報端末。
【請求項１０】
前記制御部は、
隣り合った２つのディスプレイ画面に対する第１のタッチ操作が行われたら、前記所定部分を特定し、
所定の第２のタッチ操作が行われたら、前記所定部分の表示をいずれか一方のディスプレイ画面に表示させる、
請求項１から９のいずれか１項に記載の携帯情報端末。
【請求項１１】
前記第１のタッチ操作は、２つのディスプレイ画面への同時タッチである、
請求項１０に記載の携帯情報端末。
【請求項１２】
前記第２のタッチ操作は、前記第１のタッチ操作でタッチした２点を同じ方向にスライドするタッチ操作であり、
前記制御部は、前記所定部分の表示を、前記第２のタッチ操作でスライドした方向のディスプレイ画面に表示させる、
請求項１１に記載の携帯情報端末。
【請求項１３】
前記制御部は、前記所定部分の表示を、前記第２のタッチ操作でスライドした２点のディスプレイ画面の境界と同じ方向の移動に応じて、ディスプレイ画面の境界と同じ方向にスライドして表示させる、
請求項１２に記載の携帯情報端末。
【請求項１４】
前記制御部は、前記第２のタッチ操作の後、前記２つのタッチパネルへのタッチを継続する第３のタッチ操作がされている間は前記２つのディスプレイ画面のいずれか一方への表示を保持し、該第３のタッチ操作が終了したら該表示を終了する、
請求項１２または１３に記載の携帯情報端末。
【請求項１５】
前記制御部は、前記第２のタッチ操作の後、前記２つのタッチパネルへのタッチを継続する第３のタッチ操作が終了してから所定時間が経過するまでは前記２つのディスプレイ画面のいずれか一方への表示を保持し、該第３のタッチ操作が終了してから前記所定時間が経過したら該表示を終了する、
請求項１４に記載の携帯情報端末。
【請求項１６】
前記制御部は、前記２つのディスプレイ画面のいずれか一方への表示を保持しているとき、該表示をしているディスプレイ画面上のタッチパネルへの、該表示をしている画像部分に対応する領域に対する第４のタッチ操作が行われると、該第４のタッチ操作がされた位置を示す座標を、前記所定部分における座標へ変換し、該第４のタッチ操作によって指定されるオブジェクトを管理するアプリケーションへ通知する、
請求項１５に記載の携帯情報端末。
【請求項１７】
前記制御部は、前記第４のタッチ操作が行われると、前記２つのディスプレイ画面のいずれか一方への表示を終了する、
請求項１６に記載の携帯情報端末。
【請求項１８】
前記制御部は、前記第１のタッチ操作が行われると、前記所定部分を他の部分と識別可能なように表示する、
請求項１０から１７のいずれか１項に記載の携帯情報端末。
【請求項１９】
前記制御部は、前記第１のタッチ操作が行われると、前記所定部分を３次元表示する、
請求項１８に記載の携帯情報端末。
【請求項２０】
前記制御部は、前記第２のタッチ操作が行われると、前記２つのディスプレイ画面のいずれか一方へ表示している部分を他の部分と識別可能なように表示する、
請求項１０から１９のいずれか１項に記載の携帯情報端末。
【請求項２１】
前記制御部は、前記第２のタッチ操作が行われると、前記２つのディスプレイ画面のいずれか一方へ表示している部分を３次元表示する、
請求項２０に記載の携帯情報端末。
【請求項２２】
複数のディスプレイ画面と該ディスプレイ画面のそれぞれに対する接触を感知するタッチパネル式の入力部とを有する携帯情報端末のディスプレイ画面に対する所定のタッチ操作を検出し、
前記複数のディスプレイ画面のうち２つのディスプレイ画面に跨がる所定部分の表示を該２つのディスプレイ画面のいずれか一方に表示する、
表示制御方法。
【請求項２３】
隣り合った２つのディスプレイ画面に対する第１のタッチ操作が行われたら、前記所定部分を特定し、
所定の第２のタッチ操作が行われたら、前記所定部分の表示をいずれか一方のディスプレイ画面に表示する、
請求項２２に記載の表示制御方法。
【請求項２４】
前記第１のタッチ操作は、２つのディスプレイ画面への同時タッチである、
請求項２３に記載の表示制御方法。
【請求項２５】
前記第２のタッチ操作は、前記第１のタッチ操作でタッチした２点を同じ方向にスライドするタッチ操作であり、
前記所定部分の表示を、前記第２のタッチ操作でスライドした方向のディスプレイ画面に表示する、
請求項２４に記載の表示制御方法。
【請求項２６】
複数のディスプレイ画面と該ディスプレイ画面のそれぞれに対する接触を感知するタッチパネル式の入力部とを有する携帯情報端末のディスプレイ画面に対する所定のタッチ操作を検出する手順と、
前記複数のディスプレイ画面のうち２つのディスプレイ画面に跨がる所定部分の表示を該２つのディスプレイ画面のいずれか一方に表示する手順とをコンピュータに実行させるためのプログラム。
【請求項２７】
隣り合った２つのディスプレイ画面に対する第１のタッチ操作が行われたら、前記所定部分を特定し、
所定の第２のタッチ操作が行われたら、前記所定部分の表示をいずれか一方のディスプレイ画面に表示する、
請求項２６に記載のプログラム。
【発明の詳細な説明】
【技術分野】
【０００１】
本発明は、表示部と一体的に構成されたタッチパネル式の入力部を備えた携帯情報端末に関する。
【背景技術】
【０００２】
携帯電話機、ＰＤＡ（Ｐｅｒｓｏｎａｌ  Ｄｉｇｉｔａｌ  Ａｓｓｉｓｔａｎｔ）、電子手帳に代表される携帯情報端末は、一般に、液晶等のディスプレイ画面によってテキストや画像を表示する表示部と、ユーザの操作によりコマンドやデータを入力する入力部とを備えている。【０００３】
一部の携帯情報端末では入力部にタッチパネル式が採用されている。例えば、特許文献１に入力部にタッチパネル式が採用された情報端末が開示されている。タッチパネル式を採用することにより、表示部と入力部を異なる位置に配置した場合に比べ、装置サイズに対して画面サイズを大きくすることができる。【０００４】
また、一部の携帯情報端末は表示部として複数のディスプレイ画面を備えている。例えば、複数の筐体を有する開閉可能な折りたたみ型構造で、複数の筐体のそれぞれにディスプレイ画面を備える携帯情報端末は、閉じた状態では小型で携帯性がよく、開いた状態では大型画面を提供することができる。【０００５】
しかしながら、複数のディスプレイ画面を備えた携帯情報端末ではディスプレイ画面とディスプレイ画面との間に境界が生じる。そのため、１つの原画像が複数のディスプレイ画面に跨って表示される場合、その原画像は、ディスプレイ画面の境界によって分断されるため見づらいものとなる。【０００６】
１つの原画像を２つのディスプレイ画面に分割して表示するための技術が特許文献２に開示されている。特許文献２に開示された技術は、２つのディスプレイ画面への表示の仕方を原画像の種類に応じて変えることにより、見づらさを緩和するものである。特許文献２に開示された技術では、原画像が画像データであるとき、境界部分に対応するデータをいずれのディスプレイ画面にも表示せず、原画像が文字データであるとき、境界部分に対応するデータを含めて２つのディスプレイ画面に表示する。【０００７】
また、ディスプレイ画面による表示の視認性を向上させる技術として特許文献３に開示された技術がある。特許文献３に開示された技術は、ユーザが所望する部分の視認性を向上させるためのものであり、ユーザは範囲を指定してその部分を拡大表示させることができる。ユーザがタッチパネルの２点を一定時間タッチすることにより範囲が指定される。すると、ユーザがタッチしている２点をスライドすることにより、指定された部分が拡大して表示される。
【先行技術文献】
【特許文献】
【０００８】
【特許文献１】特表２００９−５２２６６９号公報
【特許文献２】特開２００２−６８２２号公報
【特許文献３】特開２００１−２９０５８５号公報
【発明の概要】
【発明が解決しようとする課題】
【０００９】
しかしながら、上述した特許文献２に開示された技術を用いても、ディスプレイ画面の境界によって分断された原画像が分断されることに変わりはなく、原画像が１つのディスプレイ画面に表示される場合に比べると、やはり境界部分の画像は見づらい。【００１０】
また、上述した特許文献３に開示された技術は、ディスプレイ画面間の境界を考慮したものではない。ユーザが指定した部分を拡大して表示することもディスプレイ画面の境界における見づらさの直接的な改善にはならない。【００１１】
本発明の目的は、複数のディスプレイ画面を有する携帯情報端末においてディスプレイ画面境界における見づらさを改善するための技術を提供することである。
【課題を解決するための手段】
【００１２】
上記目的を達成するために、本発明の携帯情報端末は、複数のディスプレイ画面を有する表示部と、前記ディスプレイ画面のそれぞれに対する接触を感知するタッチパネル式の入力部と、ディスプレイ画面に対するタッチ操作に基づいて、前記複数のディスプレイ画面のうち２つのディスプレイ画面に跨がる所定部分の表示を該２つのディスプレイ画面のいずれか一方に表示させる制御部とを有する。【００１３】
また、上記目的を達成するために、本発明の表示制御方法は、複数のディスプレイ画面と該ディスプレイ画面のそれぞれに対する接触を感知するタッチパネル式の入力部とを有する携帯情報端末のディスプレイ画面に対する所定のタッチ操作を検出し、前記複数のディスプレイ画面のうち２つのディスプレイ画面に跨がる所定部分の表示を該２つのディスプレイ画面のいずれか一方に表示する。【００１４】
また、上記目的を達成するために、本発明のプログラムは、複数のディスプレイ画面と該ディスプレイ画面のそれぞれに対する接触を感知するタッチパネル式の入力部とを有する携帯情報端末のディスプレイ画面に対する所定のタッチ操作を検出する手順と、前記複数のディスプレイ画面のうち２つのディスプレイ画面に跨がる所定部分の表示を該２つのディスプレイ画面のいずれか一方に表示する手順とをコンピュータに実行させる。
【発明の効果】
【００１５】
本発明によれば、複数のディスプレイ画面を有する携帯情報端末においてディスプレイ画面境界における見づらさを改善することができる。
【図面の簡単な説明】
【００１６】
【図１Ａ】水平方向に並べられた２つのディスプレイ画面を有する携帯情報端末における画像の表示例を示す図である。
【図１Ｂ】利用者に指定された部分を左側のディスプレイ画面に表示した場合の画像の表示例を示す図である。
【図１Ｃ】垂直方向に並べられた２つのディスプレイ画面を有する携帯情報端末における画像の表示例を示す図である。
【図１Ｄ】利用者に指定された部分を上側のディスプレイ画面に表示した場合の画像の表示例を示す図である。
【図２】第１の実施の形態における携帯情報端末の構成を示すブロック図である。
【図３】スライド元領域を決定する方法の例を説明するための図である。
【図４】スライド先領域を決定する方法の例を説明するための図である。
【図５】図２に示した制御部がスライド表示を実施するときの処理を説明するためのフローチャートである。
【図６】第２の実施の形態の制御部がスライド表示を実施するときの処理を説明するためのフローチャートである。
【図７Ａ】水平方向に並べられた２つのディスプレイ画面を有する携帯情報端末における画像の表示例を示す図である。
【図７Ｂ】特定した矩形領域を左側のディスプレイ画面に表示した場合の画像の表示例を示す図である。
【図８】第３の実施の形態におけるスライド元領域を決定する方法の例を説明するための図である。
【図９】第３の実施の形態におけるスライド先領域を決定する方法の例を説明するための図である。
【図１０Ａ】水平方向に並べられた２つのディスプレイ画面を有する携帯情報端末における画像の表示例を示す図である。
【図１０Ｂ】特定した矩形領域を左上方向にスライドして表示した場合の画像の表示例を示す図である。
【図１１】第４の実施の形態におけるスライド先領域を決定する方法の例を説明するための図である。
【発明を実施するための形態】
【００１７】
本実施の形態の携帯情報端末は、２つのディスプレイ画面と、各ディスプレイ画面上に配置された２つのタッチパネルとを有している。そして、携帯情報端末は、ディスプレイ画面とディスプレイ画面との間の境界（以降、画面境界と称する）に跨って表示されている画像の一部を利用者に指定させ、指定された部分のみを２つのディスプレイ画面のいずれか一方に表示させる。
【００１８】
携帯情報端末は、利用者によって２つのディスプレイ画面上のタッチパネルへ同時タッチされると、２つのディスプレイ画面のいずれか一方に表示させる部分を特定する。そして、携帯情報端末は、利用者によって同時タッチされた２点がスライドされると、特定された部分のみをスライドした方向のディスプレイ画面に表示させる。
【００１９】
次に本発明について図面を参照して詳細に説明する。
【００２０】
（第１の実施の形態）
本実施の形態の携帯情報端末は、利用者によって２つのディスプレイ画面上のタッチパネルへ同時タッチされると、２つのディスプレイ画面のいずれか一方に表示させる部分を特定する。本実施形態では、一例として、特定した部分をハイライト表示する。ハイライト表示とは、特定した部分を他の部分と識別可能なように表示することである。尚、ハイライト表示する処理は、視認容易にするために行う処理であり、省略してもよい。
【００２１】
そして、携帯情報端末は、利用者によって同時タッチされた２点がスライドされると、特定された部分のみをスライドした方向のディスプレイ画面にスライド表示させる。スライド表示とは、特定した部分をいずれか一方のディスプレイ画面に表示することである。
【００２２】
図１Ａは水平方向に並べられた２つのディスプレイ画面を有する携帯情報端末における画像の表示例である。図１Ａに示す例では、文字「Ｆ」が２つのディスプレイ画面の隙間に表示されることにより、文字が分断され、見づらい状態になっている。利用者によって図１Ａに示す２つの黒丸点へ同時タッチされると、携帯情報端末は、画面境界に沿ったディスプレイ画面幅にわたり、２つの黒丸点で挟まれた帯状領域（図１Ａに示す斜線部分）をスライド表示させる部分として特定する。
【００２３】
そして、利用者によって同時タッチされた２点が左方向にスライドされると、携帯情報端末は、特定した帯状領域を左側のディスプレイ画面に表示させる。
【００２４】
図１Ｂは、利用者に指定された部分を左側のディスプレイ画面に表示した場合の画像の表示例である。図１Ｂに示す通り、図１Ａに示した斜線部分のみが左側のディスプレイ画面にスライド表示される。
【００２５】
図１Ｃは、垂直方向に並べられた２つのディスプレイ画面を有する携帯情報端末における画像の表示例である。図１Ｃに示す例では、文字「Ｃ」が２つのディスプレイ画面の隙間に表示されることにより、文字が分断され、見づらい状態になっている。利用者によって図１Ｃに示す２つの黒丸点へ同時タッチされると、携帯情報端末は、画面境界に沿ったディスプレイ画面幅にわたり、２つの黒丸点で挟まれた帯状領域（図１Ｃに示す斜線部分）をスライド表示させる部分として特定する。
【００２６】
そして、利用者によって同時タッチされた２点が上方向にスライドされると、携帯情報端末は、特定した帯状領域を上側のディスプレイ画面に表示させる。
【００２７】
図１Ｄは、利用者に指定された部分を上側のディスプレイ画面に表示した場合の画像の表示例であるである。図１Ｄに示す通り、図１Ｃに示した斜線部分のみが上側のディスプレイ画面にスライド表示される。
【００２８】
図２は、第１の実施の形態における携帯情報端末の構成を示すブロック図である。
【００２９】
図２に示すように、第１の実施の形態における携帯情報端末は、制御部１０００、表示部２０００及び入力部３０００を有する。
【００３０】
制御部１０００は、描画制御部１１００、タッチイベント検出部１２００及びディスプレイ表示制御部１３００を有する。
【００３１】
描画制御部１１００は、画像生成部１１１０、イベント処理部１１２０、画像出力部１１３０及び画像取得部１１４０を有する。
【００３２】
画像生成部１１１０は、第１の表示制御部１１１１、第２の表示制御部１１１２及び画像記憶部１１１４を有する。
【００３３】
表示部２０００は、２つのディスプレイ画面を有する表示装置である。本実施形態の表示部２０００は、互いに隣り合って配置されるディスプレイ２１００とディスプレイ２２００を有する。各ディスプレイには、各ディスプレイを識別するための番号であるディスプレイＩＤ（Identification）が割り当てられる。
【００３４】
入力部３０００は、各ディスプレイ画面上に配置されたタッチパネルを有する入力装置である。また、入力部３０００は、タッチパネル３１００及びタッチパネル３２００を有する。
【００３５】
タッチパネル３１００は、ディスプレイ２１００の画面上に配置され、タッチパネル３２００は、ディスプレイ２２００の画面上に配置される。各タッチパネルには、各タッチパネルを識別するための番号であるタッチパネルＩＤが割り当てられる。
【００３６】
各タッチパネルは、利用者からのタッチ操作を検出し、タッチ操作の状態を示すタッチ情報をタッチイベント検出部１２００に通知する。タッチ情報は、各タッチパネルのタッチパネルＩＤ、タッチされているか否か及びタッチされている座標の情報を有する。
【００３７】
制御部１０００は、携帯情報端末の全体の動作を制御する。
【００３８】
タッチイベント検出部１２００は、入力部３０００の各タッチパネルからタッチ情報を受信し、受信したタッチ情報に基づいてタッチイベント情報を生成する。タッチイベント情報は、イベント発生元のタッチパネルＩＤ、各タッチパネル上での座標、イベント発生時刻及びイベント種別を有する。尚、イベント種別とは、タッチパネルにタッチされたことを示すタッチイベント、タッチパネルから手が離されたことを示すリリースイベント、タッチパネルにタッチしたまま移動されたことを示すドラッグイベント等のイベントの種別を示す情報である。
【００３９】
また、タッチイベント検出部１２００は、生成したタッチイベント情報をイベント処理部１１２０へ通知する。
【００４０】
ディスプレイ表示制御部１３００は、画像出力部１１３０からの要求に従って、表示部２０００の各ディスプレイに画像を表示する。
【００４１】
また、ディスプレイ表示制御部１３００は、ＶＲＡＭ（Video  Random  Access  Memory）等のメモリを有し、そのメモリに各ディスプレイに表示する画像のデータを保持する。また、ディスプレイ表示制御部１３００は、画像取得部１１４０からの要求に従って、保持している画像のデータを画像取得部１１４０へ送信する。
【００４２】
描画制御部１１００は、タッチイベント検出部１２００からのタッチイベント情報に基づいて、各ディスプレイに表示されている画像についてハイライト表示あるいはスライド表示を実施する。
【００４３】
イベント処理部１１２０は、タッチイベント検出部１２００からタッチイベント情報を取得する。また、イベント処理部１１２０は、タッチイベント検出部１２００から取得したタッチイベント情報を解析し、各タッチイベントに対応した処理を実施する。
【００４４】
２つのタッチパネルでほぼ同時刻にタッチイベントが発生し、そのタッチイベントが所定時間継続した場合、イベント処理部１１２０は、スライド表示させる画像の移動元領域（以降、スライド元領域と称する）を指定するためのタッチ操作（以降、第１のタッチ操作と称する）が発生したと判断する。つまり、利用者は、２つのディスプレイ画面上のタッチパネルへ同時に一定時間（例えば、数ミリ秒〜数百ミリ秒の間）タッチすることにより第１のタッチ操作を発生させることができる。
【００４５】
第１のタッチ操作が発生すると、イベント処理部１１２０は、第１の表示制御部１１１１にスライド元領域の指定の要求を示すスライド元領域指定要求を通知する。スライド元領域指定要求には、タッチイベントが発生した２つのタッチパネルのタッチパネルＩＤ及び各タッチパネル上でタッチされた座標が含まれる。第１の表示制御部１１１１は、スライド元領域指定要求に含まれる２つのタッチパネルのタッチパネルＩＤ及び各タッチパネル上でタッチされた座標に基づいてスライド元領域を決定する。
【００４６】
スライド元領域は、例えば、画面境界に沿ったディスプレイ画面幅にわたり、各タッチパネル上でタッチされた２点で挟まれた帯状領域となる。この帯状領域は、一方の一辺の長さが画面境界の長さと同じであり、もう一方の一辺の長さが各タッチパネル上でタッチされた各点から画面境界までの距離の和である矩形領域となる。
【００４７】
図３は、スライド元領域を決定する方法の例を説明するための図である。図３に示す例では、画面境界と同じ方向の画素数がＨであり、画面境界に対して垂直方向の画素数がＷ１であるタッチパネル３１００と、画面境界と同じ方向の画素数がＨであり、画面境界に対して垂直方向の画素数がＷ２であるタッチパネル３２００とが、隣り合って配置されている。
【００４８】
以降、画面境界に対して垂直方向をＸ軸とし、画面境界と同じ方向をＹ軸とした座標系で説明する。尚、この座標系の各点は、タッチパネル上の各画素を表し、タッチパネル上の左下の画素の座標は（０、０）であるとする。このとき、タッチパネル３１００の各画素の座標の範囲は、０≦Ｘ＜Ｗ１、０≦Ｙ＜Ｈとなる。また、タッチパネル３２００の各画素の範囲は、０≦Ｘ＜Ｗ２、０≦Ｙ＜Ｈとなる。
【００４９】
この携帯情報端末において、タッチパネル３１００の座標（Ｘ１、Ｙ１）にある点Ａと、タッチパネル３２００の座標（Ｘ２、Ｙ２）にある点Ｂとが同時にタッチされたものとする。
【００５０】
このとき、タッチパネル３１００における、座標（Ｘ１、０）、（Ｘ１、Ｈ−１）、（Ｗ１−１、０）、（Ｗ１−１、Ｈ−１）の４点で囲まれた矩形領域Ｒ１と、タッチパネル３２００における、座標（０、０）、（０、Ｈ−１）、（Ｘ２、０）、（Ｘ２、Ｈ−１）の４点で囲まれた矩形領域Ｒ２とがスライド元領域となる。
【００５１】
尚、タッチパネル３１００は、ディスプレイ２１００の画面上に配置されており、タッチパネル３１００における座標は、ディスプレイ２１００における座標と同一である。また、タッチパネル３２００は、ディスプレイ２２００の画面上に配置されており、タッチパネル３２００における座標は、ディスプレイ２２００における座標と同一である。
【００５２】
第１のタッチ操作が発生した後、２つのディスプレイ画面上のタッチパネルで画面境界に対して垂直方向の成分を所定量以上含むドラッグイベントが発生した場合、イベント処理部１１２０は、スライド元領域の画像をスライド表示させるディスプレイ画面を指定するためのタッチ操作（以降、第２のタッチ操作と称する）が発生したと判断する。つまり、利用者は、第１のタッチ操作で２つのタッチパネルにタッチさせた２本の指をどちらかのディスプレイ画面の方向にスライドさせることにより第２のタッチ操作を発生させることができる。
【００５３】
第２のタッチ操作が発生すると、イベント処理部１１２０は、第１の表示制御部１１１１及び第２の表示制御部１１１２へスライド表示の開始の要求を示すスライド表示開始要求を通知する。スライド表示開始要求には、タッチイベントが発生した２つのタッチパネルのタッチパネルＩＤ及び各タッチパネル上でドラッグされた方向の情報が含まれる。尚、第２の表示制御部１１１２は、スライド表示開始要求に含まれる２つのタッチパネルのタッチパネルＩＤ及び各タッチパネル上でドラッグされた方向の情報に基づいてスライド元領域の画像をスライド表示させるディスプレイ画面を決定する。また、決定したディスプレイ画面において、スライド元領域の画像をスライド表示させる領域（以降、スライド先領域と称する）は、例えば、画面境界に沿ったディスプレイ画面幅にわたり、隣のディスプレイ画面に隣接する一辺に接する帯状領域となる。
【００５４】
図４は、スライド先領域を決定する方法の例を説明するための図である。図４に示すタッチパネルの配置は、図３に示したタッチパネルの配置と同じである。
【００５５】
この携帯情報端末において、第１のタッチ操作でタッチさせた指がタッチパネル３１００の方向へスライドされたものとする。
【００５６】
このとき、タッチパネル３１００のＸ座標（Ｗ１−（Ｗ１−Ｘ１）−（Ｘ２＋１））、つまり、Ｘ座標（Ｘ１−Ｘ２−１）から右側の帯状領域がスライド先領域となる。つまり、タッチパネル３１００における、座標（Ｘ１−Ｘ２−１、０）、（Ｘ１−Ｘ２−１、Ｈ−１）、（Ｗ１−１、０）、（Ｗ１−１、Ｈ−１）の４点で囲まれた矩形領域がスライド先領域となる。
【００５７】
第１のタッチ操作が発生した後、２つのディスプレイ画面上のいずれか一方あるは両方のタッチパネルでリリースイベントが発生した場合、イベント処理部１１２０は、第１のタッチ操作を取り消し、スライド元領域の指定を無効にする。つまり、利用者は、第１のタッチ操作でタッチさせた指を離すことにより第１のタッチ操作を取り消すことができる。
【００５８】
尚、イベント処理部１１２０は、第１のタッチ操作が発生した後、２つのディスプレイ画面上のいずれか一方あるは両方のタッチパネルでリリースイベントが発生してから所定時間（例えば、数秒間）が経過した場合に、第１のタッチ操作を取り消すようにしてもよい。あるいは、イベント処理部１１２０は、タッチイベントが通知されない状態が所定時間（例えば、数秒間）継続した場合に、第１のタッチ操作を取り消すようにしてもよい。
【００５９】
第１のタッチ操作が取り消されると、イベント処理部１１２０は、第１の表示制御部１１１１へスライド元領域の指定の無効の要求を示すスライド元領域無効要求を通知する。尚、スライド元領域無効要求には、タッチイベントが発生した２つのタッチパネルのタッチパネルＩＤが含まれる。
【００６０】
イベント処理部１１２０は、第２のタッチ操作の後、第２のタッチ操作による２つのタッチパネルへ継続してタッチされている（以降、第３のタッチ操作と称する）間は、スライド表示を継続すべきと判断する。そして、イベント処理部１１２０は、スライド表示させているディスプレイ画面上のタッチパネルでリリースイベントが発生した場合、第３のタッチ操作が終了したと判断し、スライド先領域の指定を無効にする。つまり、利用者は、第２のタッチ操作でスライドさせた指のいずれか一方あるは両方をタッチパネルから離すことによりスライド先領域の指定を無効にすることができる。
【００６１】
尚、イベント処理部１１２０は、第３のタッチ操作が終了してから、所定時間（例えば、数秒間）が経過した場合に、スライド先領域の指定を無効にするようにしてもよい。あるいは、イベント処理部１１２０は、第２のタッチ操作によってスライドされた方向と逆方向へドラッグイベントが発生した場合に、スライド先領域の指定を無効にするようにしてもよい。
【００６２】
スライド先領域の指定を無効にすべきと判断すると、イベント処理部１１２０は、第２の表示制御部１１１２へスライド表示の終了の要求を示すスライド表示終了要求を通知する。尚、スライド表示終了要求には、タッチイベントが発生した２つのタッチパネルのタッチパネルＩＤが含まれる。
【００６３】
尚、イベント処理部１１２０は、タッチイベント検出部１２００から受信したタッチイベント情報が第１、第２、第３のタッチ操作のいずれによるものでもなく、アイコン等のオブジェクトを指定するものである場合、そのタッチイベント情報で指定されるオブジェクトを管理するアプリケーションへ受信したタッチイベント情報を通知する。
【００６４】
画像出力部１１３０は、第１の表示制御部１１１１から第１の表示制御部１１１１が作成したハイライト表示するための画像をディスプレイ表示制御部１３００へ出力するように要求される。尚、第１の表示制御部１１１１は、画像出力部１１３０へ画像の出力を要求するとき、画像出力部１１３０へ画像の出力の要求を示す画像出力要求を送信する。画像出力要求には、画像を出力するディスプレイのディスプレイＩＤ、出力する画像、その画像を表示するディスプレイ上の座標に関する情報が含まれる。
【００６５】
画像出力部１１３０は、第１の表示制御部１１１１から画像出力要求を受信すると、まず、画像出力要求で指定されたディスプレイＩＤのディスプレイに現在表示されている画像をディスプレイ表示制御部１３００から取得する。そして、画像出力部１１３０は、ディスプレイ表示制御部１３００から取得した画像のうち、画像出力要求で指定された座標が示す領域に、画像出力要求で指定された画像を複写し、ディスプレイ表示制御部１３００へ出力する。ディスプレイ表示制御部１３００は、画像出力部１１３０から受信した、ハイライト表示された画像をディスプレイ画面に表示する。
【００６６】
また、画像出力部１１３０は、第２の表示制御部１１１２から第２の表示制御部１１１２が作成したスライド表示するための画像をディスプレイ表示制御部１３００へ出力するように要求される。尚、第２の表示制御部１１１２は、画像出力部１１３０へ画像の出力を要求するとき、画像出力部１１３０へ画像出力要求を送信する。
【００６７】
画像出力部１１３０は、第２の表示制御部１１１２から画像出力要求を受信すると、まず、画像出力要求で指定されたディスプレイＩＤのディスプレイに現在表示されている画像をディスプレイ表示制御部１３００から取得する。そして、画像出力部１１３０は、ディスプレイ表示制御部１３００から取得した画像のうち、画像出力要求で指定された座標が示す領域に、画像出力要求で指定された画像を複写し、ディスプレイ表示制御部１３００へ出力する。ディスプレイ表示制御部１３００は、画像出力部１１３０から受信した、スライド表示された画像をディスプレイ画面に表示する。
【００６８】
画像取得部１１４０は、第１の表示制御部１１１１から画像の取得の要求を示す画像取得要求を受信すると、要求されたスライド元領域の画像をディスプレイ表示制御部１３００から取得する。そして、画像取得部１１４０は、ディスプレイ表示制御部１３００から取得したスライド元領域の画像を第１の表示制御部１１１１へ送信する。尚、画像取得要求には、画像を取得する先のディスプレイのディスプレイＩＤ、取得する画像が表示されている座標に関する情報が含まれる。
【００６９】
また、画像取得部１１４０は、第２の表示制御部１１１２から画像取得要求を受信すると、要求されたスライド先領域の画像をディスプレイ表示制御部１３００から取得する。そして、画像取得部１１４０は、ディスプレイ表示制御部１３００から取得したスライド先領域の画像を第２の表示制御部１１１２へ送信する。
【００７０】
画像生成部１１１０は、ハイライト表示する画像及びスライド表示する画像を作成し、管理する。
【００７１】
第１の表示制御部１１１１は、イベント処理部１１２０からスライド元領域指定要求を受信すると、受信したハイライト表示開始要求に含まれる２つのタッチパネルのタッチパネルＩＤ及び各タッチパネル上でタッチされた座標に基づいてスライド元領域を決定する。上述したように、スライド元領域は、例えば、画面境界に沿ったディスプレイ画面幅にわたり、各タッチパネル上でタッチされた２点で挟まれた帯状領域となる。
【００７２】
スライド元領域を決定すると、第１の表示制御部１１１１は、ディスプレイ２１００及びディスプレイ２２００に表示されている画像のうちスライド元領域に該当する部分を取得する。第１の表示制御部１１１１は、まず、各ディスプレイに表示されている画像のスライド元領域に該当する部分を指定した画像取得要求を画像取得部１１４０へ送信する。画像取得部１１４０から各ディスプレイに表示されている画像のスライド元領域に該当する部分を取得すると、第１の表示制御部１１１１は、取得した各画像を画像記憶部１１１３に保存しておく。
【００７３】
第１の表示制御部１１１１は、イベント処理部１１２０からスライド元領域指定要求を受信し、受信したスライド元領域指定要求に含まれる２つのタッチパネルのタッチパネルＩＤ及び各タッチパネル上でタッチされた座標に基づいてスライド元領域を決定する。
【００７４】
また、第１の表示制御部１１１１は、各ディスプレイに表示されている画像のスライド元領域に該当する部分からハイライト表示するための画像を作成する。尚、ハイライト表示の例として、スライド元領域を赤い枠で囲むこと、スライド元領域の背景色を青色にすること、スライド元領域に影をつけて浮かび上がったように３Ｄ（three-dimensional；３次元）表示すること等がある。
【００７５】
第１の表示制御部１１１１は、ディスプレイ２１００及びディスプレイ２２００にハイライト表示するため、各ディスプレイのディスプレイＩＤ、各ディスプレイにハイライト表示するための画像部分及び各ディスプレイのスライド元領域に該当する領域を指定した画像出力要求を画像出力部１１３０へ送信する。
【００７６】
また、第１の表示制御部１１１１は、イベント処理部１１２０からスライド表示開始要求を受信すると、ハイライト表示を終了する。第１の表示制御部１１１１は、ディスプレイ２１００及びディスプレイ２２００のハイライト表示を終了するために、各ディスプレイのディスプレイＩＤ、画像記憶部１１１３に保存しておいた各ディスプレイにハイライト表示前に表示されていた画像のスライド元領域に該当する部分及び各ディスプレイのスライド元領域に該当する領域を指定した画像出力要求を画像出力部１１３０へ送信する。
【００７７】
また、第１の表示制御部１１１１は、イベント処理部１１２０からスライド元領域無効要求を受信すると、スライド元領域の指定を無効にし、ハイライト表示を終了する。第１の表示制御部１１１１は、ディスプレイ２１００及びディスプレイ２２００のハイライト表示を終了するために、各ディスプレイのディスプレイＩＤ、画像記憶部１１１３に保存しておいた各ディスプレイにハイライト表示前に表示されていた画像のスライド元領域に該当する部分及び各ディスプレイのスライド元領域に該当する領域を指定した画像出力要求を画像出力部１１３０へ送信する。
【００７８】
第２の表示制御部１１１２は、イベント処理部１１２０からスライド表示開始要求を受信すると、受信したスライド表示開始要求に含まれる２つのタッチパネルのタッチパネルＩＤ及び各タッチパネル上でドラッグされた方向の情報に基づいてスライド元領域の画像をスライド表示させるディスプレイ画面を決定する。尚、上述したように、決定したディスプレイ画面において、スライド先領域は、例えば、画面境界に沿ったディスプレイ画面幅にわたり、隣のディスプレイ画面に隣接する一辺に接する帯状領域となる。
【００７９】
第２の表示制御部１１１２は、スライド先領域を指定した画像取得要求を画像取得部１１４０へ送信し、指定した画像をディスプレイ表示制御部１３００から取得するように要求する。画像取得部１１４０からスライド先領域の画像を取得すると、第２の表示制御部１１１２は、取得した画像を画像記憶部１１１３に保存しておく。
【００８０】
第２の表示制御部１１１２は、第１の表示制御部１１１１が保存していたスライド元領域の画像からスライド表示するための画像を作成する。尚、第２の表示制御部１１１２は、スライド元領域の画像をスライド表示させるとき、例えば、スライド先領域を赤い枠で囲んだり、スライド先領域の背景色を青色にしたり、スライド先領域に影をつけて浮かび上がったように表示させたりすることにより、他の部分と識別可能なように表示してもよい。
【００８１】
第２の表示制御部１１１２は、スライド表示するディスプレイのディスプレイＩＤ、スライド表示するための画像及びスライド先領域を指定した画像出力要求を画像出力部１１３０へ送信し、指定した画像をディスプレイ表示制御部１３００へ出力するように要求する。
【００８２】
また、第２の表示制御部１１１２は、イベント処理部１１２０からスライド表示終了要求を受信すると、スライド表示を終了する。第２の表示制御部１１１２は、スライド表示を終了するとき、スライド表示するディスプレイのディスプレイＩＤ、画像記憶部１１１３に保存しておいたスライド表示前のスライド先領域の画像及びスライド先領域を指定した画像出力要求を画像出力部１１３０へ送信し、指定した画像をディスプレイ表示制御部１３００へ出力するように要求する。
【００８３】
画像記憶部１１１３は、ハイライト表示前のスライド元領域の画像及びスライド表示前のスライド先領域の画像を保存しておくための記憶装置である。
【００８４】
次に図２に示した制御部１０００がスライド表示を実施するときの処理について説明する。
【００８５】
図５は、図２に示した制御部がスライド表示を実施するときの処理を説明するためのフローチャートである。
【００８６】
タッチイベント検出部１２００は、入力部３０００の各タッチパネルからタッチ情報を受信するまで待機する。ステップ１にて、タッチ情報を受信すると、タッチイベント検出部１２００は、受信したタッチ情報に基づいてタッチイベント情報を生成し、生成したタッチイベント情報をイベント処理部１１２０に通知する。
【００８７】
タッチイベント検出部１２００からタッチイベント情報を受信すると、イベント処理部１１２０は、受信したタッチイベント情報が第１のタッチ操作によるものか否かをステップ２にて判別する。
【００８８】
受信したタッチイベント情報が第１のタッチ操作によるものでないと判別すると、イベント処理部１１２０は、ステップ３にてそのタッチイベント情報を受信すべきアプリケーションにそのタッチイベント情報を通知する等の通常処理を実施し、再度ステップ１の処理を行う。
【００８９】
一方、２つのディスプレイ画面上のタッチパネルでほぼ同時刻にタッチイベントが発生し、そのタッチイベントが所定時間継続した場合、イベント処理部１１２０は、受信したタッチイベント情報が第１のタッチ操作によるものであると判別し、第１の表示制御部１１１１にスライド元領域指定要求を通知する。
【００９０】
イベント処理部１１２０からスライド元領域指定要求を受信すると、ステップ４にて第１の表示制御部１１１１は、受信したスライド元領域指定要求に含まれる２つのタッチパネルのタッチパネルＩＤ及び各タッチパネル上でタッチされた座標に基づいてスライド元領域を決定する。
【００９１】
スライド元領域を決定すると、第１の表示制御部１１１１は、ディスプレイ２１００及びディスプレイ２２００に表示されている画像のうちスライド元領域に該当する部分を取得する。第１の表示制御部１１１１は、まず、各ディスプレイに表示されている画像のスライド元領域に該当する部分を指定した画像取得要求を画像取得部１１４０へ送信する。第１の表示制御部１１１１から画像取得要求を受信すると、画像取得部１１４０は、各ディスプレイに表示されている画像のスライド元領域に該当する部分をディスプレイ表示制御部１３００から取得する。そして、画像取得部１１４０は、ディスプレイ表示制御部１３００から取得した画像を第１の表示制御部１１１１へ送信する。画像取得部１１４０から各ディスプレイに表示されている画像のスライド元領域に該当する部分を取得すると、第１の表示制御部１１１１は、取得した各画像を画像記憶部１１１３に保存しておく。
【００９２】
次に、第１の表示制御部１１１１は、各ディスプレイに表示されている画像のスライド元領域に該当する部分からハイライト表示するための画像を作成する。そして、第１の表示制御部１１１１は、ディスプレイ２１００及びディスプレイ２２００にハイライト表示するため、各ディスプレイのディスプレイＩＤ、各ディスプレイにハイライト表示するための画像部分及び各ディスプレイのスライド元領域に該当する領域を指定した画像出力要求を画像出力部１１３０へ送信する。
【００９３】
第１の表示制御部１１１１から画像出力要求を受信すると、画像出力部１１３０は、まず、画像出力要求で指定されたディスプレイＩＤのディスプレイに現在表示されている画像をディスプレイ表示制御部１３００から取得する。そして、画像出力部１１３０は、ディスプレイ表示制御部１３００から取得した画像のうち、画像出力要求で指定された座標が示す領域に、画像出力要求で指定された画像を複写し、ディスプレイ表示制御部１３００へ出力する。ディスプレイ表示制御部１３００は、画像出力部１１３０から受信した画像をステップ５にて各ディスプレイ画面に表示する。
【００９４】
次に、タッチイベント検出部１２００は、入力部３０００の各タッチパネルからタッチ情報を受信するまで待機する。タッチ情報を受信すると、ステップ６にてタッチイベント検出部１２００は、受信したタッチ情報に基づいてタッチイベント情報を生成し、生成したタッチイベント情報をイベント処理部１１２０に通知する。
【００９５】
タッチイベント検出部１２００からタッチイベント情報を受信すると、ステップ７にてイベント処理部１１２０は、受信したタッチイベント情報により第１のタッチ操作を取り消すべきか否かを判別する。例えば、受信したタッチイベント情報が第１のタッチ操作のリリースイベントである場合、イベント処理部１１２０は、第１のタッチ操作を取り消すべきと判別する。
【００９６】
受信したタッチイベント情報により第１のタッチ操作を取り消すべきであると判別すると、イベント処理部１１２０は、第１の表示制御部１１１１にスライド元領域無効要求を通知する。
【００９７】
イベント処理部１１２０からスライド元領域無効要求を受信すると、第１の表示制御部１１１１は、スライド元領域の指定を無効にする。さらに、第１の表示制御部１１１１は、ディスプレイ２１００及びディスプレイ２２００のハイライト表示を終了するために、各ディスプレイのディスプレイＩＤ、画像記憶部１１１３に保存しておいた各ディスプレイにハイライト表示前に表示されていた画像のスライド元領域に該当する部分及び各ディスプレイのスライド元領域に該当する領域を指定した画像出力要求を画像出力部１１３０へ送信する。
【００９８】
第１の表示制御部１１１１から画像出力要求を受信すると、画像出力部１１３０は、まず、各ディスプレイに現在表示されている画像をディスプレイ表示制御部１３００から取得する。そして、画像出力部１１３０は、ディスプレイ表示制御部１３００から取得した各ディスプレイに表示されている画像のスライド元領域に該当する部分にハイライト表示前の画像を複写し、ディスプレイ表示制御部１３００へ出力する。ディスプレイ表示制御部１３００は、画像出力部１１３０から受信した画像を各ディスプレイ画面に表示し、ステップ８にてハイライト表示を終了する。ハイライト表示を終了すると、画像出力部１１３０は、ステップ１の処理を行う。
【００９９】
一方、受信したタッチイベント情報により第１のタッチ操作を取り消すべきでないと判別すると、ステップ９にてイベント処理部１１２０は、受信したタッチイベント情報が第２のタッチ操作によるものか否かを判別する。
【０１００】
受信したタッチイベント情報が第２のタッチ操作によるものでないと判別すると、イベント処理部１１２０は、再度ステップ６の処理を行う。
【０１０１】
一方、第１のタッチ操作が発生した後、２つのディスプレイ画面上のタッチパネルで画面境界に対して垂直方向の成分を所定量以上含むドラッグイベントが発生した場合、イベント処理部１１２０は、受信したタッチイベント情報が第２のタッチ操作によるものであると判別し、第１の表示制御部１１１１にスライド表示開始要求を通知する。
【０１０２】
イベント処理部１１２０からスライド表示開始要求を受信すると、第１の表示制御部１１１１は、ディスプレイ２１００及びディスプレイ２２００のハイライト表示を終了するために、各ディスプレイのディスプレイＩＤ、画像記憶部１１１３に保存しておいた各ディスプレイにハイライト表示前に表示されていた画像のスライド元領域に該当する部分及び各ディスプレイのスライド元領域に該当する部分を指定した画像出力要求を画像出力部１１３０へ送信する。
【０１０３】
第１の表示制御部１１１１から画像出力要求を受信すると、画像出力部１１３０は、まず、各ディスプレイに現在表示されている画像をディスプレイ表示制御部１３００から取得する。そして、画像出力部１１３０は、ディスプレイ表示制御部１３００から取得した各ディスプレイに表示されている画像のスライド元領域に該当する部分にハイライト表示前の画像を複写し、ディスプレイ表示制御部１３００へ出力する。ディスプレイ表示制御部１３００は、画像出力部１１３０から受信した画像を各ディスプレイ画面に表示し、ステップ１０にてハイライト表示を終了する。
【０１０４】
次に、イベント処理部１１２０は、第２の表示制御部１１１２へスライド表示開始要求を通知する。
【０１０５】
イベント処理部１１２０からスライド表示開始要求を受信すると、第２の表示制御部１１１２は、受信したスライド表示開始要求に含まれる２つのタッチパネルのタッチパネルＩＤ及び各タッチパネル上でドラッグされた方向の情報に基づいてスライド元領域の画像をスライド表示させるディスプレイ画面を決定する。また、ステップ１１にて第２の表示制御部１１１２は、決定したディスプレイ画面におけるスライド先領域を決定する。
【０１０６】
スライド表示させるディスプレイ画面及びスライド先領域を決定すると、第２の表示制御部１１１２は、スライド先領域の画像を取得するために、スライド先領域を指定した画像取得要求を画像取得部１１４０へ送信する。第２の表示制御部１１１２から画像取得要求を受信すると、画像取得部１１４０は、指定されたスライド先領域の画像をディスプレイ表示制御部１３００から取得する。そして、画像取得部１１４０は、ディスプレイ表示制御部１３００から取得したスライド先領域の画像を第２の表示制御部１１１２へ送信する。画像取得部１１４０からスライド先領域の画像を取得すると、第２の表示制御部１１１２は、取得したスライド先領域の画像を画像記憶部１１１３に保存しておく。
【０１０７】
次に、第２の表示制御部１１１２は、第１の表示制御部１１１１が保存していたスライド元領域の画像からスライド表示するための画像を作成する。そして、第２の表示制御部１１１２は、スライド表示するディスプレイのディスプレイＩＤ、スライド表示するための画像及びスライド先領域を指定した画像出力要求を画像出力部１１３０へ送信する。
【０１０８】
第２の表示制御部１１１２から画像出力要求を受信すると、画像出力部１１３０は、まず、画像出力要求で指定されたディスプレイＩＤのディスプレイに現在表示されている画像をディスプレイ表示制御部１３００から取得する。そして、画像出力部１１３０は、ディスプレイ表示制御部１３００から取得した画像のうち、画像出力要求で指定された座標が示す領域に、画像出力要求で指定された画像を複写し、ディスプレイ表示制御部１３００へ出力する。画像出力部１１３０からスライド表示された画像を受信すると、ステップ１２にてディスプレイ表示制御部１３００は、受信した画像をディスプレイ画面に表示する。
【０１０９】
次に、タッチイベント検出部１２００は、入力部３０００の各タッチパネルからタッチ情報を受信するまで待機する。タッチ情報を受信すると、ステップ１３にてタッチイベント検出部１２００は、受信したタッチ情報に基づいてタッチイベント情報を生成し、生成したタッチイベント情報をイベント処理部１１２０へ通知する。
【０１１０】
タッチイベント検出部１２００からタッチイベント情報を受信すると、ステップ１４にてイベント処理部１１２０は、受信したタッチイベント情報によりスライド先領域の指定を無効にすべきか否かを判別する。例えば、受信したタッチイベント情報が第２のタッチ操作のリリースイベントである場合、イベント処理部１１２０は、第３のタッチ操作が終了したと判断し、スライド先領域の指定を無効にすべきと判別する。
【０１１１】
スライド先領域の指定を無効にすべきと判別すると、イベント処理部１１２０は、第２の表示制御部１１１２へスライド表示終了要求を通知する。
【０１１２】
イベント処理部１１２０からスライド表示終了要求を受信すると、第２の表示制御部１１１２は、スライド表示を終了するために、スライド表示するディスプレイのディスプレイＩＤ、画像記憶部１１１３に保存しておいたスライド表示前のスライド先領域の画像及びスライド先領域を指定した画像出力要求を画像出力部１１３０へ送信する。
【０１１３】
第２の表示制御部１１１２から画像出力要求を受信すると、画像出力部１１３０は、まず、スライド表示しているディスプレイに現在表示されている画像をディスプレイ表示制御部１３００から取得する。そして、画像出力部１１３０は、ディスプレイ表示制御部１３００から取得した画像のスライド先領域にスライド表示前の画像を複写し、ディスプレイ表示制御部１３００へ出力する。画像出力部１１３０からスライド表示前の画像を受信すると、ディスプレイ表示制御部１３００は、受信した画像をディスプレイ画面に表示し、ステップ１５にてスライド表示を終了する。スライド表示を終了すると、画像出力部１１３０は、ステップ１の処理を行う。
【０１１４】
一方、スライド先領域の指定を無効にすべきでないと判別すると、イベント処理部１１２０は、ステップ１６にてそのタッチイベント情報を受信すべきアプリケーションにそのタッチイベント情報を通知する等の通常処理を実施し、再度ステップ１３の処理を行う。
【０１１５】
尚、本実施の形態では、画面境界に沿ったディスプレイ画面幅にわたる帯状領域をスライド元領域とする例を示したが、本発明は、これに制限されるものではない。例えば、スライド元領域は、画面境界に対する垂直方向の幅が２点のタッチにより特定され、画面境界と同じ方向の幅が予め定められたものとしてもよい。この場合、利用者は、画面境界と同じ方向の幅を任意に設定することができる。
【０１１６】
また、スライド元領域の画面境界に対する垂直方向の幅は、タッチ操作がされた各点の画面境界に対する垂直成分により特定されたものとしてもよい。この場合、２つのディスプレイ画面にタッチされた各点から画面境界までの長さを画面境界に対する垂直方向の幅とする、各ディスプレイ画面上の矩形領域をあわせた領域がスライド元領域となる。
【０１１７】
また、本実施の形態では、画面境界に沿ったディスプレイ画面幅にわたり、各タッチパネル上でタッチされた２点で挟まれた帯状領域をスライド元領域とする例を示したが、本発明は、これに限定されるものではない。例えば、タッチされた２点の座標に関わらず、予め定められた領域をスライド元領域とするようにしてもよい。この場合、利用者は、スライド元領域を任意に設定することができる。また、スライド元領域は、矩形領域に限られず、どのような形状の領域であってもよい。
【０１１８】
また、本実施の形態では、携帯情報端末がスライド表示するとき、スライド元領域の画像を元の表示の状態にしておく例を示したが、本発明は、これに限定されるものではない。携帯情報端末は、例えば、スライド表示するとき、スライド元領域の画像を白色にして表示するようにしてもよい。
【０１１９】
また、本実施の形態では、携帯情報端末がスライド元領域の画像を他の部分と識別可能なようにハイライト表示する例を示したが、必ずしもスライド元領域の画像を他の部分と識別可能にする必要はないため、ハイライト表示する処理は省略してもよい。
【０１２０】
また、本実施の形態では、第１、第２、第３のタッチ操作が、隣り合った２つのディスプレイ画面上に配置されたタッチパネルの両方に対して同時に行うタッチ操作である例を示したが、本発明は、これに限定されるものではない。各タッチ操作は、どのようなものであってもよく、例えば、片方のタッチパネルに対してのみ行うものであってもよい。
【０１２１】
また、本実施の形態では、表示部２０００が、２つのディスプレイ画面を有する例を示したが、表示部２０００は、３つ以上のディスプレイ画面を有するものであってもよい。
【０１２２】
また、本実施の形態では、携帯情報端末の入力部は、各タッチパネルがディスプレイの画面上に配置されたものである例を示したが、本発明は、これに限定されるものではない。携帯情報端末の入力部は、ディスプレイ画面に対する接触を感知するものであればどのようなものであってもよく、接触を判別可能なセンサーがディスプレイのパネルに内蔵されたようなものであってもよい。
【０１２３】
以上説明したように、本実施形態によれば、携帯情報端末は、画面境界に跨がる一部の画像をいずれか一方のディスプレイ画面に表示させる。これにより、携帯情報端末は、画面境界における見づらさを改善することができる。
【０１２４】
また、本実施形態の携帯情報端末は、その携帯情報端末上で動作しているアプリケーションの機能、種類に関わらずスライド表示を実施する。このため、本実施形態の携帯情報端末は、独自にスクロール機能を有しているアプリケーションと、スクロール機能を有していないアプリケーションとが混在する場合においても、スライド表示を実施でき、利便性を保つことができる。
【０１２５】
また、本実施形態の携帯情報端末は、スライド元領域の画面境界に対する垂直方向の幅を２点のタッチにより特定する。これにより、利用者は、所望の領域を視覚的に特定し、スライド表示させる部分とすることができる。
【０１２６】
さらに、本実施形態の携帯情報端末は、スライド元領域の画面境界に対する垂直方向の幅をタッチ操作がされた各点の画面境界に対する垂直成分により特定する。これにより、利用者は、スライド表示させる部分の特定をより直感的に行うことができる。
【０１２７】
また、本実施形態の携帯情報端末は、スライド元領域の画面境界と同じ方向の幅を予め定められた長さとする。これにより、利用者は、画面境界と同じ方向の幅を任意に設定することができる。
【０１２８】
また、本実施形態の携帯情報端末は、画面境界に沿ったディスプレイ画面幅にわたり、各タッチパネル上でタッチされた２点で挟まれた帯状領域をスライド表示させる部分とする。これにより、利用者は、簡易にスライド表示させる部分を特定することができる。
【０１２９】
また、本実施形態の携帯情報端末は、予め定められた領域をスライド表示させる部分とする。これにより、利用者は、スライド元領域を任意に設定することができる。
【０１３０】
また、本実施形態の携帯情報端末は、２つのディスプレイ画面上のタッチパネルに対する同時タッチが行われたらスライド表示させる部分を特定し、タッチした２点をスライドするタッチ操作が行われたら特定した部分の表示をスライドした方向のディスプレイ画面に表示させる。これにより、利用者は、容易にスライド操作を実施できる。
【０１３１】
また、本実施形態の携帯情報端末は、スライド表示させるためにタッチした指がタッチパネルから離れた場合、あるいは、スライド表示させるためにタッチした指がタッチパネルから離れてから所定時間が経過した場合、自動的にスライド表示を終了する。これにより、利用者は、特別な操作を実施しなくても、スライド表示を終了することができる。
【０１３２】
また、本実施形態の携帯情報端末は、スライド表示する元の画像及びスライド表示した画像の枠や背景に色付けしたり、３Ｄ表示したりすることにより他の部分と識別可能なように表示する。これにより、携帯情報端末は、利用者の視認性を向上することができる。
【０１３３】
（第２の実施の形態）
第１の実施の形態では、携帯情報端末において、複数のディスプレイ画面に跨がる画像の一部をいずれか一方のディスプレイ画面にスライド表示させる例を示した。第２の実施形態では更に、スライド表示された画像に含まれるオブジェクトに対するタッチを可能にする。
【０１３４】
この携帯情報端末で、スライド表示させている部分に対して操作が行われた場合、その操作におけるオブジェクトの指定は、スライド表示された画像と一致させるべきである。そのため、本実施形態では、スライド表示された画像へのタッチ操作（以降、第４のタッチ操作と称する）が行われたとき、タッチされた位置を示す座標を元の領域における座標に変換する。そして、携帯情報端末は、変換した座標の情報を、第４のタッチ操作で指定されるオブジェクトを管理するアプリケーションへ通知する。
【０１３５】
第２の実施の形態の携帯情報端末の基本的な構成は、第１の実施の形態の携帯情報端末の構成と同じである。
【０１３６】
但し、第２の実施の形態のイベント処理部１１２０は、スライド表示しているときに、第３のタッチ操作が終了しても、すぐには、スライド先領域の指定を無効にすべきと判別しない。イベント処理部１１２０は、第３のタッチ操作が終了してから所定時間が経過したときに、スライド先領域の指定を無効にすべきと判別する。尚、所定時間は、利用者が次のタッチ操作を行うことができる程度の時間であり、例えば数秒間から数十秒間程度に設定すればよい。
【０１３７】
イベント処理部１１２０は、タッチイベント検出部１２００から受信したタッチイベント情報が第１、第２、第３のタッチ操作のいずれによるものでもなく、アイコン等のオブジェクトを指定するものである場合、そのタッチイベント情報で指定されるオブジェクトを管理するアプリケーションへ受信したタッチイベント情報を通知する。
【０１３８】
イベント処理部１１２０は、タッチイベント検出部１２００からタッチイベント情報を受信すると、スライド表示している状態であるか否か、及び、受信したタッチイベント情報が、第４のタッチ操作によるものであるか否かを判断する。スライド表示している状態で、第４のタッチ操作によるタッチイベント情報を受信すると、イベント処理部１１２０は、受信したタッチイベント情報に含まれるタッチパネル上の座標を、スライド元領域における座標へ変換する。そして、イベント処理部１１２０は、タッチパネル上の座標を変換したタッチイベント情報を、そのタッチイベント情報で指定されるオブジェクトを管理するアプリケーションへ通知する。
【０１３９】
次に、第２の実施の形態の制御部がスライド表示を実施するときの処理について説明する。
【０１４０】
図６は、第２の実施の形態の制御部がスライド表示を実施するときの処理を説明するためのフローチャートである。
【０１４１】
ステップ２１からステップ３５までの処理は、図６を用いて説明したステップ１からステップ１５までの処理と基本的に同じである。
【０１４２】
但し、ステップ３４において、イベント処理部１１２０は、第３のタッチ操作が終了したと判断しても、すぐには、スライド先領域の指定を無効にすべきと判別しない。イベント処理部１１２０は、第３のタッチ操作が終了したと判断してから所定時間が経過したときに、スライド先領域の指定を無効にすべきと判別する。
【０１４３】
スライド表示している状態で、タッチイベント検出部１２００からタッチイベント情報を受信すると、イベント処理部１１２０は、受信したタッチイベント情報が、第４のタッチ操作によるものであるか否かを判断する。
【０１４４】
受信したタッチイベント情報が、第４のタッチ操作によるものであると判別すると、ステップ３６にてイベント処理部１１２０は、受信したタッチイベント情報に含まれるタッチパネル上の座標を、スライド元領域における座標へ変換する。そして、ステップ３７にてイベント処理部１１２０は、タッチパネル上の座標を変換したタッチイベント情報を、そのタッチイベント情報で指定されるオブジェクトを管理するアプリケーションへ通知し、再度ステップ３３の処理を行う。
【０１４５】
一方、受信したタッチイベント情報が、第４のタッチ操作によるものでないと判別すると、イベント処理部１１２０は、受信したタッチイベント情報を変換せずに、そのタッチイベント情報で指定されるオブジェクトを管理するアプリケーションへ通知する。
【０１４６】
以上説明したように、本実施形態によれば、携帯情報端末は、スライド表示中に、スライド表示させている部分に対するタッチ操作が行われると、タッチされた位置を示す座標を元の領域における座標へ変換し、そのタッチ操作で指定されるオブジェクトを管理するアプリケーションへ通知する。これにより、携帯情報端末は、スライド表示後の画面に対する利用者の操作を適切にアプリケーションへ通知することができ、利用者の操作性を向上することができる。
【０１４７】
尚、利用者が画面境界にかかる部分に配置されたオブジェクトに所定の指示を与えることを目的としてスライド表示させていた場合、そのオブジェクトに所定の指示を与えた後は、スライド表示を継続させる必要がなくなる。そのため、携帯情報端末は、第４のタッチ操作が行われた場合、第３のタッチ操作が終了してから所定時間が経過していなくても、スライド先領域の指定を無効にし、スライド表示を終了するようにしてもよい。これにより、携帯情報端末は、利便性を向上することができる。
【０１４８】
（第３の実施の形態）
第１の実施の形態では、スライド元領域が、画面境界に沿ったディスプレイ画面幅にわたる例を示したが、本発明は、これに限定されるものではない。例えば、スライド元領域の画面境界と同じ方向の幅は、各タッチパネル上でタッチされた２点で特定されるようにしてもよい。第３の実施の形態では、スライド元領域が、各タッチパネル上でタッチされた２点を対角の頂点とする矩形領域である例について説明する。
【０１４９】
図７Ａは、水平方向に並べられた２つのディスプレイ画面を有する携帯情報端末における画像の表示例である。利用者によって図７Ａに示す２つの黒丸点へ同時タッチされると、携帯情報端末は、２つの黒丸点を対角の頂点とする矩形領域（図７Ａに示す斜線部分）をスライド表示させる部分として特定する。
【０１５０】
そして、利用者によって同時タッチされた２点が左方向にスライドされると、携帯情報端末は、特定した矩形領域を左側のディスプレイ画面に表示させる。
【０１５１】
図７Ｂは、特定した矩形領域を一方のディスプレイ画面に表示した場合の画像の表示例である。図７Ｂに示す通り、図７Ａに示した斜線部分のみが左側のディスプレイ画面にスライド表示される。
【０１５２】
第３の実施の形態の携帯情報端末の基本的な構成は、第１の実施の形態の携帯情報端末の構成と同じである。
【０１５３】
但し、第３の実施の形態のイベント処理部１１２０は、各タッチパネル上でタッチされた２点を対角の頂点とする矩形領域をスライド元領域とする。
【０１５４】
図８は、第３の実施の形態におけるスライド元領域を決定する方法の例を説明するための図である。図８に示す例では、画面境界と同じ方向の画素数がＨであり、画面境界に対して垂直方向の画素数がＷ１であるタッチパネル３１００と、画面境界と同じ方向の画素数がＨであり、画面境界に対して垂直方向の画素数がＷ２であるタッチパネル３２００とが、隣り合って配置されている。
【０１５５】
以降、画面境界に対して垂直方向をＸ軸とし、画面境界と同じ方向をＹ軸とした座標系で説明する。尚、この座標系の各点は、タッチパネル上の各画素を表し、タッチパネル上の左下の画素の座標は（０、０）であるとする。このとき、タッチパネル３１００の各画素の座標の範囲は、０≦Ｘ＜Ｗ１、０≦Ｙ＜Ｈとなる。また、タッチパネル３２００の各画素の範囲は、０≦Ｘ＜Ｗ２、０≦Ｙ＜Ｈとなる。
【０１５６】
この携帯情報端末において、タッチパネル３１００の座標（Ｘ１、Ｙ１）にある点Ａと、タッチパネル３２００の座標（Ｘ２、Ｙ２）にある点Ｂとが同時にタッチされたものとする。
【０１５７】
このとき、タッチパネル３１００における、座標（Ｘ１、Ｙ１）、（Ｘ１、Ｙ２）、（Ｗ１−１、Ｙ１）、（Ｗ１−１、Ｙ２）の４点で囲まれた矩形領域Ｒ１と、タッチパネル３２００における、座標（０、Ｙ１）、（０、Ｙ２）、（Ｘ２、Ｙ１）、（Ｘ２、Ｙ２）の４点で囲まれた矩形領域Ｒ２とがスライド元領域となる。
【０１５８】
また、第３の実施の形態の第２の表示制御部１１１２は、第２のタッチ操作でスライドされた方向のディスプレイ画面において、スライド元領域を、画面境界に対して垂直方向に、隣のディスプレイ画面に隣接する一辺に接するようにスライドさせた矩形領域をスライド先領域とする。
【０１５９】
図９は、第３の実施の形態におけるスライド先領域を決定する方法の例を説明するための図である。図９に示すタッチパネルの配置は、図８に示したタッチパネルの配置と同じである。
【０１６０】
この携帯情報端末において、第１のタッチ操作でタッチさせた指がタッチパネル３１００の方向にスライドされたものとする。
【０１６１】
このとき、タッチパネル３１００における、座標（Ｘ１−Ｘ２−１、Ｙ１）、（Ｘ１−Ｘ２−１、Ｙ２）、（Ｗ１−１、Ｙ１）、（Ｗ１−１、Ｙ２）の４点で囲まれた矩形領域がスライド先領域となる。
【０１６２】
尚、本実施の形態では、各タッチパネル上でタッチされた２点を対角の頂点とする矩形領域をスライド表示させる部分とする例を示したが、本発明は、これに限定されるものではない。例えば、スライド表示させる部分は、各タッチパネル上でタッチされた２点で特定される領域であればどのような領域であってもよい。例えば、ディスプレイ画面の境界と同じ方向の幅は予め定められていて、ディスプレイ画面の境界と垂直の方向の幅がタッチされた２点で指定される領域をスライド表示させる部分としてもよい。あるいは、ディスプレイ画面の境界と垂直の方向の幅は予め定められていて、ディスプレイ画面の境界と同じ方向の幅がタッチされた２点で指定される領域をスライド表示させる部分としてもよい。
【０１６３】
また、２点で特定される領域は、矩形領域に限らず、どのような形状の領域であってもよい。例えば、２点で特定される領域は、各タッチパネル上でタッチされた２点間の直線を直径とする円の領域であってもよい。
【０１６４】
以上説明したように、本実施形態によれば、携帯情報端末は、各タッチパネル上でタッチされた２点を対角の頂点とする矩形領域をスライド元領域とする。これにより、利用者は、スライド表示させる範囲を画面境界と同じ方向及び画面境界に対して垂直方向の両方について指定でき、携帯情報端末は、操作性を向上することができる。
【０１６５】
尚、第１の実施の形態では、画面境界に沿ったディスプレイ画面幅にわたる帯状領域をスライド表示させる部分とする例を示した。また、本実施の形態では、各タッチパネル上でタッチされた２点を対角の頂点とする矩形領域をスライド表示させる部分とする例を示した。しかしながら、本発明は、これらに限定されるものではない。例えば、スライド表示させる部分は、アイコン等のＵＩ（User  Interface）部品のみであってもよい。
【０１６６】
携帯情報端末は、画面境界に沿ったディスプレイ画面幅にわたり、各タッチパネル上でタッチされた２点で挟まれた帯状領域内に存在する部品のみをスライド表示させる部分としてもよい。あるいは、携帯情報端末は、画面境界に沿ったディスプレイ画面幅にわたり、画面境界に対して垂直方向の幅が常に一定である帯状領域内に存在する部品のみをスライド表示させる部分としてもよい。また、携帯情報端末は、各タッチパネル上でタッチされた２点を対角の頂点とする矩形領域内に存在する部品のみをスライド表示させる部分としてもよい。
【０１６７】
これにより、利用者は、スライド表示させる部分を部品毎に指定でき、携帯情報端末は、操作性を向上することができる。
【０１６８】
（第４の実施の形態）
第１の実施の形態及び第３の実施の形態では、スライド元領域を画面境界に対して垂直方向にスライドさせて表示する例を示したが、本発明は、これに限定されるものではない。利用者が見やすいように、表示させる領域は、画面境界と同じ方向にもスライドできるようにしてもよい。第４の実施の形態では、スライド元領域を画面境界に対して斜め方向にスライドさせて表示する例について説明する。
【０１６９】
図１０Ａは、水平方向に並べられた２つのディスプレイ画面を有する携帯情報端末における画像の表示例である。利用者によって図１０Ａに示す２つの黒丸点へ同時タッチされると、携帯情報端末は、２つの黒丸点を対角の頂点とする矩形領域（図１０Ａに示す斜線部分）をスライド表示させる部分として特定する。
【０１７０】
そして、利用者によって同時タッチされた２点が左上方向にスライドされると、携帯情報端末は、特定した矩形領域を左上方向にスライドさせて表示させる。
【０１７１】
図１０Ｂは、特定した矩形領域を左上方向にスライドして表示した場合の画像の表示例である。図１０Ｂに示すように、利用者によって同時タッチされた２点が左上方向にスライドされることにより、図１０Ａに示した斜線部分が左上方向にスライドして表示される。
【０１７２】
第４の実施の形態の携帯情報端末の基本的な構成は、第１の実施の形態の携帯情報端末の構成と同じである。
【０１７３】
但し、第４の実施の形態の第２の表示制御部１１１２は、第１のタッチ操作でタッチされた２点が、第２のタッチ操作で画面境界と同じ方向にスライドした距離に応じて、スライド先領域を決定する。
【０１７４】
第２の表示制御部１１１２は、イベント処理部１１２０から受信したスライド表示開始要求に含まれる各タッチパネル上でドラッグされた方向の情報に基づいてスライド元領域の画像をスライド表示させるディスプレイ画面を決定する。また、第２の表示制御部１１１２は、第１のタッチ操作でタッチされた２点が、第２のタッチ操作で画面境界に対して垂直方向にスライドした距離の平均値を算出する。第２の表示制御部１１１２は、スライド元領域の画像をスライド表示させるように決定したディスプレイ画面において、隣のディスプレイ画面に隣接する一辺に接し、算出した平均値の分だけ、画面境界と同じ方向にスライドさせた領域をスライド先領域とする。
【０１７５】
図１１は、第４の実施の形態におけるスライド先領域を決定する方法の例を説明するための図である。図１１に示すタッチパネルの配置は、図８に示したタッチパネルの配置と同じである。
【０１７６】
この携帯情報端末において、第１のタッチ操作でタッチさせた指が左上方向にスライドされ、第１のタッチ操作でタッチされた２点が、第２のタッチ操作でＹ軸方向にスライドされた距離の平均値がαであるとする。このとき、タッチパネル３１００における、座標（Ｘ１−Ｘ２−１、Ｙ１＋α）、（Ｘ１−Ｘ２−１、Ｙ２＋α）、（Ｗ１−１、Ｙ１＋α）、（Ｗ１−１、Ｙ２＋α）の４点で囲まれた矩形領域がスライド先領域となる。
【０１７７】
尚、本実施の形態では、スライド元領域が各タッチパネル上でタッチされた２点を対角の頂点とする矩形領域である場合を例に説明したが、本発明は、これに限定されるものではない。スライド元領域が、第１の実施の形態で示されたように、画面境界に沿ったディスプレイ画面幅にわたる帯状領域である場合でも、スライド元領域を画面境界と同じ方向にスライドさせて表示するようにしてもよい。
【０１７８】
以上説明したように、本実施形態によれば、携帯情報端末は、第２のタッチ操作でスライドされた２点の、画面境界と同じ方向の移動に応じて、スライド元領域を画面境界と同じ方向にもスライドさせて表示する。これにより、利用者は、斜め方向にスライドさせて表示することができるようになり、携帯情報端末は、利用者の視認性を向上することができる。
【０１７９】
上述した携帯情報端末に設けられた各構成要素が行う処理は、目的に応じてそれぞれ作製された論理回路で行うようにしても良い。また、処理内容を記述したプログラムを携帯情報端末にて読取可能な記録媒体に記録し、この記録媒体に記録されたプログラムを携帯情報端末に読み込ませ、実行するものであっても良い。携帯情報端末にて読取可能な記録媒体とは、フロッピー（登録商標）ディスク、光磁気ディスク、ＤＶＤ、ＣＤなどの移設可能な記録媒体の他、携帯情報端末に内蔵されたＲＯＭ、ＲＡＭ等のメモリやＨＤＤ等を指す。この記録媒体に記録されたプログラムは、携帯情報端末に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１８０】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【０１８１】
この出願は、２００９年１０月２８日に出願された日本出願特願２００９−２４８０６７を基礎とする優先権を主張し、その開示の全てをここに取り込む。
【図１Ａ】
2011052299.tif 000003
【図１Ｂ】
2011052299.tif 000004
【図１Ｃ】
2011052299.tif 000005
【図１Ｄ】
2011052299.tif 000006
【図２】
2011052299.tif 000007
【図３】
2011052299.tif 000008
【図４】
2011052299.tif 000009
【図５】
2011052299.tif 000010
【図６】
2011052299.tif 000011
【図７Ａ】
2011052299.tif 000012
【図７Ｂ】
2011052299.tif 000013
【図８】
2011052299.tif 000014
【図９】
2011052299.tif 000015
【図１０Ａ】
2011052299.tif 000016
【図１０Ｂ】
2011052299.tif 000017
【図１１】
2011052299.tif 000018
【国際調査報告】
2011052299.tif 000019
2011052299.tif 000020